【事件の表示】
　特許第３１４７３７１号「フォーカスレンズの作動制御装置」の請求項１、２に係る特許に対する特許異議の申立てについて、次のとおり決定する。
【結　論】
　訂正を認める。
　特許第３１４７３７１号の請求項１、２に係る特許を維持する。
【理　由】
第１　手続の経緯
　本件に係る特許第３１４７３７１号の特許請求の範囲（請求項の数２）に記載された発明は、平成２年１０月８日に出願され、平成１３年１月１２日にその特許の設定登録がなされ、その後、特許異議の申立がなされ、取消理由通知がなされ、その指定期間内である平成１４年１月２８日に訂正請求がなされたものである。
　
第２　訂正請求の適否について
　１　本件訂正発明
　　訂正明細書の特許請求の範囲（請求項の数２）に記載された発明（以下「本件訂正発明」という。）は、次に掲げるものである。（下線部分が訂正箇所）
「【請求項１】手動でフォーカス操作を行うフォーカス操作手段と、このフォーカス操作手段の操作量及びフォーカスレンズの位置を検出する検出手段と、この検出手段からの検出信号に基づいてフォーカスレンズを作動させるサーボ手段とを有するフォーカスレンズの作動制御装置において、
　前記検出手段からの出力信号に基づいて前記フォーカス操作手段の操作量に対するフォーカスレンズの移動量の比を
指数関数的に
　この関数設定手段は、前記フォーカス操作手段が操作された時に、前記検出手段により検出されるフォーカスレンズ位置の信号に基づ
いて、至近側では前記フォーカス操作手段の操作量に対する出力信号が急激に変化し、また無限遠側の位置では操作量に対する出力信号が穏やかに変化するように
ものであり、
さらに前記検出手段からの出力信号を前記関数設定手段を介して出力する操作モードと、他の操作モードとに切り換え可能な切換手段を有する
【請求項２】
前記切換手段は、
可能な
　
　２　訂正事項
　　訂正請求による訂正は、次に掲げる訂正事項(1)(2)である。
 　(1)　特許請求の範囲の減縮及び不明りょうな記載の釈明を目的として、特許請求の範囲を上記本件訂正発明とする訂正
 　(2)　特許請求の範囲の訂正に伴って、不明りょうな記載の釈明を目的として、本件特許掲載公報２頁４欄８行ないし２２行（本件明細書３頁１０行ないし１９行）に「本発明は、（中略）する構成としたことを」と記載されているのを「本発明は、手動でフォーカス操作を行うフォーカス操作手段と、このフォーカス操作手段の操作量及びフォーカスレンズの位置を検出する検出手段と、この検出手段からの検出信号に基づいてフォーカスレンズを作動させるサーボ手段とを有するフォーカスレンズの作動制御装置であって、前記検出手段からの出力信号に基づいて前記フォーカス操作手段の操作量に対するフォーカスレンズの移動量の比を
指数関数的に
いて、至近側では前記フォーカス操作手段の操作量に対する出力信号が急激に変化し、また無限遠側の位置では操作量に対する出力信号が穏やかに変化するように
ものであり、さらに前記検出手段からの出力信号を前記関数設定手段を介して出力する操作モードと、他の操作モードとに切り換え可能な切換手段を有する
　
　３　訂正事項の適否についての結論
　　上記訂正事項(1)(2)は、特許法第１２０条の４第２項第１，３号に規定する特許請求の範囲の減縮、不明りょうな記載の釈明を目的とするものであり、また、同法第１２０条の４第３項で準用する同法第１２６条第２，３項に規定する願書に添付した明細書及び図面に記載した事項の範囲内であり、実質上特許請求の範囲を拡張し、又は変更するものではないから、上記訂正を認める。
　
第３　本件訂正発明と刊行物発明との対比・検討
　１　刊行物
　　当審の取消理由で引用した刊行物１ないし３は次に掲げるものである。
　　刊行物１：特開昭５５−４６７１０号公報（異議申立人が提出した甲第１号証）
　　刊行物２：特公昭６１−２９４８１号公報（異議申立人が提出した甲第２号証）
　　刊行物３：特開昭５２−２５６２５号公報（異議申立人の提出した甲第３号証）
　　(1) 刊行物１の発明
　　　刊行物１には、本件訂正発明との対比において、次に掲げる発明が記載されている。
「手動でフォーカス操作を行うフォーカス操作手段と、このフォーカス操作手段の操作量及びフォーカスレンズの位置を検出する検出手段と、この検出手段からの検出信号に基づいてフォーカスレンズを作動させるサーボ手段とを有するフォーカスレンズの作動制御装置において、
　前記検出手段からの出力信号に基づいて前記フォーカス操作手段の操作量に対するフォーカスレンズの移動量の比を非線形的に変化させる関数設定手段を備え、
　この関数設定手段は、前記フォーカス操作手段が操作された時に、前記検出手段により検出されるフォーカスレンズ位置の信号に基づいた補正信号を前記サーボ手段に入力する構成としたことを特徴とするフォーカスレンズの作動制御装置」
　　(2) 刊行物２の発明
　　　刊行物２には、「レンズのフォーカスにおいてレンズの移動量と被写体距離との関係を所望の特性、例えば正比例特性とすること」（３頁５欄１５行ないし１７行を参照）が記載されている。
　　(3) 刊行物３の発明
　　　刊行物３には、「望遠レンズのさけられない欠点であった遠距離合焦精度の悪さと近距離合焦時の回転量の過多とが共に改善されること」（４頁左下欄６行ないし８行を参照）が記載されている。
　
　２　本件訂正発明と刊行物発明との対比
　　本件訂正発明と刊行物１ないし３の発明とを対比すると、刊行物１ないし３の発明は、本件訂正発明おける次に掲げる主要な事項(1)，(2)を具備していないし、刊行物１ないし３には、この主要な事項を示唆する記載もなされていない。
　　(1) 関数設定手段が、至近側ではフォーカス操作手段の操作量に対する出力信号が急激に変化し、また無限遠側の位置では操作量に対する出力信号が穏やかに変化するように補正すること
　　(2) 切換手段が、関数設定手段を介して出力する操作モードと、他の操作モードとに切り換えること
　そして、本件訂正発明は、上記主要な事項により、
「フォーカスレンズの作動制御装置における操作性をより改善する」（本件特許掲載公報２頁４欄５行ないし６行）という目的を達成し、「至近側では、フォーカス操作手段の操作量に対する出力信号が急激に変化することになり、また無限遠側の位置でフォーカス操作手段を操作したときには、その操作量に対して出力信号の変化は緩やかとなり、フォーカス曲線を補正して、ほぼ直線に近い状態に変換させることができ、フォーカスレンズの作動制御装置の操作性が著しく向上する」（同公報４頁７欄６行ないし同頁８欄２行）という効果を奏するものと認められる。
　したがって、本件訂正発明は、刊行物１ないし３の発明に基いて当業者が容易に発明をすることができたものとは認められない。
　
第４　むすび
　以上、本件訂正発明は、刊行物１ないし３の発明に基いて当業者が容易に発明をすることができたものとは認められない。
　また、他に本件訂正発明に係る特許を取り消すべき理由を発見しない。
　よって、結論のとおり決定する。
【異議決定日】
平成１４年２月７日（２００２．２．７）
【訂正の要旨】
　特許請求の範囲の減縮及び不明りょうな記載の釈明を目的として、次に掲げる訂正事項ａ、ｂとする訂正を認める。
　訂正事項ａ（下線部分が訂正箇所）
　特許請求の範囲を
「【請求項１】手動でフォーカス操作を行うフォーカス操作手段と、このフォーカス操作手段の操作量及びフォーカスレンズの位置を検出する検出手段と、この検出手段からの検出信号に基づいてフォーカスレンズを作動させるサーボ手段とを有するフォーカスレンズの作動制御装置において、
　前記検出手段からの出力信号に基づいて前記フォーカス操作手段の操作量に対するフォーカスレンズの移動量の比を
指数関数的に
　この関数設定手段は、前記フォーカス操作手段が操作された時に、前記検出手段により検出されるフォーカスレンズ位置の信号に基づ
いて、至近側では前記フォーカス操作手段の操作量に対する出力信号が急激に変化し、また無限遠側の位置では操作量に対する出力信号が穏やかに変化するように
ものであり、
　
さらに前記検出手段からの出力信号を前記関数設定手段を介して出力する操作モードと、他の操作モードとに切り換え可能な切換手段を有する
構成としたことを特徴とするフォーカスレンズの作動制御装置
　【請求項２】
前記検出手段は、
可能な
　訂正事項ｂ（下線部分が訂正箇所）
　特許請求の範囲の訂正に伴って、不明りょうな記載の釈明を目的として、本件特許掲載公報２頁４欄８行ないし２２行（本件明細書３頁１０行ないし１９行）に「本発明は、（中略）する構成としたことを」と記載されているのを「本発明は、手動でフォーカス操作を行うフォーカス操作手段と、このフォーカス操作手段の操作量及びフォーカスレンズの位置を検出する検出手段と、この検出手段からの検出信号に基づいてフォーカスレンズを作動させるサーボ手段とを有するフォーカスレンズの作動制御装置であって、前記検出手段からの出力信号に基づいて前記フォーカス操作手段の操作量に対するフォーカスレンズの移動量の比を指数関数的に変化させる関数設定手段を備え、この関数設定手段は、前記フォーカス操作手段が操作された時に、前記検出手段により検出されるフォーカスレンズ位置の信号に基づ
いて、至近側では前記フォーカス操作手段の操作量に対する出力信号が急激に変化し、また無限遠側の位置では操作量に対する出力信号が穏やかに変化するように
ものであり、さらに前記検出手段からの出力信号を前記関数設定手段を介して出力する操作モードと、他の操作モードとに切り換え可能な切換手段を有する
（５４）【発明の名称】
フォーカスレンズの作動制御装置
（５７）【特許請求の範囲】
（１）手動でフォーカス操作を行うフォーカス操作手段と、このフォーカス操作手段の操作量及びフォーカスレンズの位置を検出する検出手段と、この検出手段からの検出信号に基づいてフォーカスレンズを作動させるサーボ手段とを有するフォーカスレンズの作動制御装置において、
　前記検出手段からの出力信号に基づいて前記フォーカス操作手段の操作量に対するフォーカスレンズの移動量の比を
指数関数的に
　この関数設定手段は、前記フォーカス操作手段が操作された時に、前記検出手段により検出されるフォーカスレンズ位置の信号に基づ
いて、至近側では前記フォーカス操作手段の操作量に対する出力信号が急激に変化し、また無限遠側の位置では操作量に対する出力信号が緩やかに変化するように
ものであり、
　
さらに前記検出手段からの出力信号を前記関数設定手段を介して出力する操作モードと、他の操作モードとに切り換え可能な切換手段を有する
構成としたことを特徴とするフォーカスレンズの作動制御装置。
（２）
前記切換手段は、
可能な
【発明の詳細な説明】
［産業上の利用分野］
　本発明は、テレビジョンカメラのレンズ装置等において、フォーカスレンズの作動を制御する装置に関するものである。
［従来の技術］
　テレビジョンカメラのレンズ装置において、フォーカスレンズはモータ等の駆動部材と、この駆動部材の作動を制御する制御機構とからなるサーボ手段により行われるようになっており、このサーボ手段における制御機構にコントロール信号を与えるために、フォーカスレンズの作動制御装置を備える構成としている。この作動制御装置は、一般に、撮影者が手動で操作するハンドル等のようなフォーカス操作手段　と、該フォーカス操作手段の操作量を検出して、この操作量に比例した電気信号を出力するポテンショメータ等からなる検出手段とで大略構成されるものである。そして、この検出手段の出力信号をサーボコントロール信号としてサーボ手段の制御機構に入力し、このサーボコントロール信号に基づいて駆動部材を作動させて至近物体から無限遠物体に至るまでの範囲でフォーカスさせることができるようになされている。
　ここで、物体距離とフォーカスレンズの移動量との間の関係、即ちフォーカス曲線は、第３図に曲線ＦＣで示したように、所謂指数関数的に変化する。従って、フォーカス操作手段の操作量に比例させてフォーカスレンズを動かすようにしていたのでは、無限遠側においては、感度が必要以上に高くなりすぎ、微細にフォーカスすることができなくなる。これに対して、至近側ではフォーカス操作手段の操作に対するフォーカスレンズの追従性が悪くなってしまう。
　而して、無限遠側でのフォーカス操作の操作性を改善するには、フォーカス操作手段による操作ストローク範囲を広くすればよく、また至近側でのフォーカス操作に対するフォーカスレンズの応答性を良好ならしめるには、フォーカス操作手段の操作ストローク範囲を狭くすればよい。ただし、フォーカス操作手段の操作ストローク範囲を広くすると、至近側でのフォーカスレンズの追従性がさらに悪くなり、また操作ストローク範囲を狭くすれば、無限遠側における感度がさらに高くなって、操作性が極めて悪くなってしまう。
　以上の点を考慮して、無限遠側でフォーカスを行うときには、フォーカス操作手段の操作ストローク範囲を広くし、至近側でフォーカスする場合には、フォーカス操作手段の操作ストローク範囲を狭くするように切り換え可能としたものが従来から知られている。
［発明が解決しようとする課題］
　このように、被写体の位置に応じてフォーカス操作手段の操作範囲を変化させるようにすれば、その作動制御装置の操作性はある程度向上させることができる。しかしながら、撮影中にこのような切り換え操作を行うことは面倒であり、また煩わしくもあるといった問題点がある。しかも、単に物体距離に応じてフォーカス操作手段の操作ストローク範囲を２段階に変化させるようにしただけでは、物体距離の至近物体から無限遠物体までの全範囲において所望の程度まで操作性の改善を図るのが困難であって、フォーカスレンズの作動制御装置の操作性の改善という点ではなお限度がある。
　本発明は以上の点に鑑みてなされたものであって、その目的とするところは、フォーカスレンズの作動制御装置における操作性をより改善することにある。
［課題を解決するための手段］
　前述した目的を達成するために、本発明は、フォーカス操作手段と、このフォーカス操作手段の操作量及びフォーカスレンズの位置を検出する検出手段と、この検出手段からの検出信号に基づいてフォーカスレンズを動作させるサーボ手段とからなり、検出手段からの出力信号を直接サーボ手段に入力するのではなく、このフォーカス操作手段の操作量に対するフォーカスレンズの移動量の比を指数関数的に変化させる関数設定手段を介してサーボ手段に入力するようになし、この関数設定手段は、前記フォーカス操作手段が操作された時に、前記検出手段により検出されるフォーカスレンズ位置の信号に基づ
いて、至近側では前記フォーカス操作手段の操作量に対する出力信号が急激に変化し、また無限遠側の位置では操作量に対する出力信号が緩やかに変化するように
ものであり、さらに前記検出手段からの出力信号を前記関数設定手段を介して出力する操作モードと、他の操作モードとに切り換え可能な切換手段を有する
［作用］
　このような構成を採用することによって、フォーカス操作手段を操作したときに、関数設定手段により与えられる関数に基づいて、至近側位置の方が無限遠側位置よりフォーカスレンズ操作手段の操作量に対するフォーカスレンズの移動量の比が大きくなるように補正される。フォーカス曲線のうち、傾きが緩く、感度が低い至近側ではフォーカス操作手段が少ない操作量でフォーカスレンズが大きく変位する。これによって、至近側でのフォーカス操作手段の操作に対するフォーカスレンズのフォーカス位置への移動を迅速に行わせることができる。また、フォーカス曲線の傾きが急で、感度の高い無限遠側では、フォーカス操作手段の操作量によるフォーカスレンズの動く量は少なくなるので、この無限遠側でのフォーカスを容易に行うことができ、微細な操作か可能となる。
［実施例］
　以下、本発明の実施例を第１図に基づいて詳細に説明する。
　図中において、１はフォーカス操作手段を示し、該フォーカス操作手段１は撮影者が手動で操作する回転レバー等で構成されている。２は、例えばポテンショメータ等で構成される検出手段を示し、該検出手段２によってフォーカス操作手段１の位置の検出を行うことができるようになっている。
　３は上限端子，４は下限端子，５は基準端子，６は出力端子をそれぞれ示す。上限端子３，下限端子４はそれぞれフォーカスレンズの可動ストローク範囲の両端を設定するものであって、上限端子３からはＶｍａｘの電圧が、また下限端子４からはＶｍｉｎの電圧が供給されるようになっている。また、基準端子５はＣＯＭとなっている。
　また、７は比較器、８，９は反転増幅器、１０，１１はそれぞれ上限，下限の各リミッタを示す。
　さらに、Ｒ１は関数設定用の抵抗を示し、また　ＳＷ１，ＳＷ２，ＳＷ３，ＳＷ４，ＳＷ５及びＳＷ６はそれぞれスイッチを示し、これら各スイッチＳＷ１〜ＳＷ６は、図示しないモード切換手段を操作することによって、それぞれ連動して切り換わるようになっている。これによって、後述する如く、フォーカスレンズの作動を制御する作動制御装置を第１の操作モードである右手操作モードＩと、第２の操作モードである左手操作モードＩＩと、第３の操作モードである不変換操作モードＩＩＩとの間に切り換えることができるようにな　る。
　このような構成を採用することによって、前述した各操作モードにおいて、フォーカス操作手段１を操作したときに、その操作量、即ち回転角度に応じて、第２図に示したような信号特性が得られる。
　今、スイッチＳＷ１の接点ａ１を接点ｂ１に、スイッチＳＷ２の接点ａ２を接点ｂ２に、スイッチＳＷ３の接点ａ３を接点ｂ３に、スイッチＳＷ４の接点ａ４を接点ｂ４に、スイッチＳＷ５の接点ａ５を接点ｂ５に、スイッチＳＷ６の接点ａ６を接点ｂ６にそれぞれ接続すると、右手操作モードＩとなる。
　そこで、フォーカス操作手段１を操作して、フォーカスレンズを現在位置から至近側または無限遠側に移動させようとしたとする。このフォーカス操作手段１の位置が変化すると、位置検出手段２の抵抗値がこれに応じて変化し、出力電圧が変化する。ただし、この位置検出手段２の前段には関数設定用の抵抗Ｒ１が設けられていることから、抵抗値は（ＲＰ−ＲＤ）／（Ｒ１＋ＲＤ）（ただしＲＰは位置検出手段２の全抵抗値、ＲＤは位置検出手段２の現在の抵抗値である）で与えられ、フォーカスレンズの位置が至近側であるか、無限遠側であるかにより、至近側位置の方が無限遠側位置よりフォーカスレンズ操作手段１の操作量に対するフォーカスレンズの移動量の比が大きくなるように変化し、しかもその変化は直線的なものではなく、曲線的な変化となる。このようにして位置検出手段２から出力された信号は比較器７において基準電圧と比較することによって、＋側（即ち至近側）または−側（即ち無限遠側）のいずれかに変化したかの検出される。而して、この信号は反転増幅器８によって反転増幅せしめられて、第２図の曲線Ｉに示したような出力信号特性が得られる。
　このように出力信号特性を曲線Ｉで示したように変換することによって、フォーカス曲線ＦＣにおける感度の低い至近側では、フォーカス操作手段１の操作量に対して出力端子６からの出力信号が急激に変化することになり、またフォーカス曲線ＦＣの感度の高い無限遠側の位置でフォーカス操作手段１を操作したときには、その操作量に対して出力端子６における出力信号の変化は緩やかとなる。従って、フォーカス曲線ＦＣが補正されることから、フォーカスレンズの作動制御装置の操作性が向上する。
　次に、スイッチＳＷ１の接点ａ１を接点ｃ１に、スイッチＳＷ２の接点ａ２を接点ｃ２に、スイッチＳＷ３の接点ａ３を接点ｃ３に、スイッチＳＷ４の接点ａ４を接点ｃ４に、スイッチＳＷ５の接点ａ５を接点ｃ５に、スイッチＳＷ６の接点ａ６を接点ｃ６にそれぞれ接続すると、左手操作モードＩＩとなる。
　この左手操作モードＩＩは前述の右手操作モードＩとは反対方向にフォーカス操作手段１を操作することによって、この右手操作モードＩと同様の出力信号特性を得るためのものである。然るに、位置検出手段２を構成する抵抗ＲＰには、比較器７の出力側から帰還する電圧と下限端子４から抵抗Ｒ１を介して供給される下限電圧とは右手操作モードＩとは逆になっているから、反転増幅器８における出力信号は第２図に曲線ＩＩで示したように、曲線Ｉとは逆になる。従って、この反転増幅器８の出力信号を反転増幅器９によって再度反転させることによって、この曲線Ｉと同じ出力信号特性が得られる。
　なお、これら右手操作モードＩ及び左手操作モードＩＩで操作する際において、出力信号が下限値であるＶｍｉｎより下回ったり、また上限値であるＶｍａｘより上回ったりすると、フォーカスレンズがオーバーランし、このフォーカスレンズのサーボ手段に過負荷が生じたり、またフォーカスレンズが他の部材に衝当したりすることがある。これを防止するために、下限及び上限のリミッタ１０，１１が設けられており、これらの限界値を外れると、これらリミッタ１０，１１を構成するダイオードＤ１，Ｄ２を介して電流が流れることになり、この結果、出力端子６からこのリミット値を越える出力が出されるおそれはない。
　さらに、スイッチＳＷ１の接点ａ１を接点ｄ１に、スイッチＳＷ２の接点ａ２を接点ｄ２に、スイッチＳＷ３の接点ａ３を接点ｂ３に、スイッチＳＷ４の接点ａ４を接点ｂ４に、スイッチＳＷ５の接点ａ５を接点ｄ５に、スイッチＳＷ６の接点ａ６を接点ｄ６にそれぞれ接続すると、不変換操作モードＩＩＩとなる。この不変換モードＩＩＩにした状態でフォーカス操作手段１を操作すれば、関数設定用の抵抗Ｒ１を介することなく、検出手段２からそのまま信号が出力されることになるので、第２図に特性線ＩＩＩで示したように、直線的に変化する信号が出力される。
　なお、前述した実施例においては、３つの操作モードに切り換えることができるように構成したものを示したが、これら３つのモードのうち、第１の操作モードである右手操作モードＩだけにすることもでき、この場合には、スイッチＳＷ１〜ＳＷ６及び反転増幅器９を設ける必要はない。
［発明の効果］
　本発明は以上のように、フォーカス操作手段が操作された時に、その操作量を検出する検出手段から直接サーボ手段に制御信号を出力するのではなく、この検出手段により検出されるフォーカスレンズの位置が至近側であるか、無限遠側であるかにより、至近側位置の方が無限遠側位置よりフォーカスレンズ操作手段の操作量に対するフォーカスレンズの移動量の比が大きくなるように補正するようにしているので、至近側では、フォーカス操作手段の操作量に対する出力信号が急激に変化することになり、また無限遠側の位置でフォーカス操作手段を操作したときには、その操作量に対して出力信号の変化は緩やかとなり、フォーカス曲線を補正して、ほぼ直線に近い状態に変換させることができ、フォーカスレンズの作動制御装置の操作性が著しく向上する等の効果を奏する。
【図面の簡単な説明】
　第１図は本発明に係るフォーカスデマンドの回路図、第２図は各操作モードによる操作時の出力信号特性線図、第３図はフォーカス曲線を示す線図である。
　１：フォーカス操作手段、２：検出手段、３：上限端子、４：下限端子、５：基準端子、６：出力端子、７：比較器、８，９：反転増幅器、ＳＷ１〜ＳＷ６：スイッチ。